(57)【要約】【課題】  身体からの排出液の吸収性能を有し、ウエスト回り及びレッグ回りのフィット性に優れており、安価に製造可能なサニタリーショーツを提供すること。【解決手段】  前身頃２、後身頃３及びこれら両者間に位置する股下部４を有し、ウエスト開口部５及び一対のレッグ開口部６，６が形成されているサニタリーショーツ１であって、股下部４に吸収層７が設けられており、少なくともウエスト開口部５及びレッグ開口部６，６それぞれの周辺領域が弾性シート２１，３１，４１から形成されており、該各開口部５，６，６における該弾性シートの端縁から所定幅の領域が、該各開口部の周方向の伸縮性が高まるように折り返されて接合されている。【選択図】    図１
2005154924.tif 000002
【特許請求の範囲】
【請求項１】
前身頃、後身頃及びこれら両者間に位置する股下部を有し、ウエスト開口部及び一対のレッグ開口部が形成されているサニタリーショーツであって、
前記股下部に吸収層が設けられており、
少なくともウエスト開口部及びレッグ開口部それぞれの周辺領域が弾性シートから形成されており、該各開口部における該弾性シートの端縁から所定幅の領域が、該各開口部の周方向の伸縮性が高まるように折り返されて接合されているサニタリーショーツ。
【請求項２】
前記弾性シートは、伸縮性に富む高伸縮方向と、該高伸縮方向に直交する方向で且つ該高伸縮方向よりも伸縮性に劣る低伸縮方向とを有しており、
前記ウエスト開口部の周辺領域を形成する前記弾性シートは、前記高伸縮方向が前記前身頃及び前記後身頃それぞれの幅方向に一致するように配されており且つ該ウエスト開口部において折り返された前記所定幅の領域は該前身頃及び該後身頃の幅方向に直交する方向に折り返されており、
前記レッグ開口部の周辺領域を形成する前記弾性シートは、前記前身頃及び前記後身頃に位置する部分において、前記高伸縮方向が前記前身頃及び前記後身頃それぞれの幅方向に一致するように配されており且つ該レッグ開口部において折り返された前記所定幅の領域は、該高伸縮方向が前記前身頃及び前記後身頃それぞれの幅方向及び該幅方向に直交する方向の何れにも一致しないように折り返されている請求項１記載のサニタリーショーツ。
【請求項３】
サニタリーショーツの展開状態において、前記吸収層の長手方向の両端部が、それぞれ、前記レッグ開口部の長手方向の両端部の位置よりもショーツ長手方向の中央部側に位置している請求項１又は２記載のサニタリーショーツ。
【請求項４】
前記弾性シートは、シート基材と、シート基材に固定されている複数本の弾性部材とからなり、前記弾性部材は、互いに平行に配されており且つそれぞれの配向方向の収縮力が等しい請求項１〜３の何れか記載のサニタリーショーツ。
【請求項５】
前記ウエスト開口部において折り返された前記所定幅の領域は、該領域内の弾性部材と、該領域を重ねて接合する部位内の弾性部材とが、前記前身頃及び前記後身頃の幅方向に直交する方向に交互に配されるように折り返されている請求項４記載のサニタリーショーツ。
【発明の詳細な説明】
【技術分野】
【０００１】
本発明は、身体からの排出液の吸収性能を有し、ウエスト回り及びレッグ回りのフィット性に優れており、安価に製造可能なサニタリーショーツに関する。
【背景技術】
【０００２】
従来、生理用ナプキンや失禁パッド等の吸収性物品を固定し、該吸収性物品を着用者の身体にフィットさせるために用いられるサニタリーショーツが知られている。
例えば、特許文献１には、特定構造の伸縮性不織布により構成され、その目付が特定の範囲内にあるサニタリーショーツが記載されている。
【０００３】
【特許文献１】特開２０００−６０９００号公報
【発明の開示】
【発明が解決しようとする課題】
【０００４】
しかし、このサニタリーショーツは、生理用ナプキンや失禁パッド等を固定して用いるもので、それ自体が吸収性能を有するものではない。そのため、生理用ナプキンや失禁パッドのズレ等により経血や尿がこれらから漏れ出すと、その液が、ショーツからも容易に漏れだして着衣を汚すという問題がある。
【０００５】
また、特許文献１記載のサニタリーショーツにおけるウエスト開口部及びレッグ開口部の開口周縁部には、前記伸縮性不織布とは別の部材が取り付けられており、その部材自体及びその取り付け工程等が必要であるため、ショーツを安価に製造することが難しい。他方、各開口部に伸縮性を高めるための別の部材が取り付けない場合には、各開口部に充分なフィット性が得られない。
【０００６】
【特許文献１】特開２０００−６０９００号公報
【０００７】
従って、本発明の目的は、身体からの排出液の吸収性能を有し、ウエスト回り及びレッグ回りのフィット性に優れており、安価に製造可能なサニタリーショーツを提供することにある。
【課題を解決するための手段】
【０００８】
本発明は、前身頃、後身頃及びこれら両者間に位置する股下部を有し、ウエスト開口部及び一対のレッグ開口部が形成されているサニタリーショーツであって、前記股下部に吸収層が設けられており、少なくともウエスト開口部及びレッグ開口部それぞれの周辺領域が弾性シートから形成されており、該各開口部における該弾性シートの端縁から所定幅の領域が、該各開口部の周方向の伸縮性が高まるように折り返されて接合されているサニタリーショーツを提供することにより前記目的を達成したものである。
【発明の効果】
【０００９】
本発明によれば、身体からの排出液の吸収性能を有し、ウエスト回り及びレッグ回りのフィット性に優れており、安価に製造可能なサニタリーショーツを提供することができる。
【発明を実施するための最良の形態】
【００１０】
以下本発明を、その好ましい実施形態に基づき図面を参照しながら説明する。
本発明の一実施形態としての失禁用ショーツ１は、図１及び図２に示すように、着用者の腹側に配される前身頃２、着用者の背側に配される後身頃３、及び前身頃２と後見頃３との間に位置する股下部４を有しており、前身頃２の両側縁部と後見頃３の両側縁部とが互いに縫合により接合されてウエスト開口部５及び一対のレッグ開口部６，６が形成されている。
失禁用ショーツ１は、弾性シート２１，３１，４１からなるショーツ本体１０に、後述する吸収層７及び防漏層８等を設けてなる。ショーツ本体１０は、ウエスト開口部５及び一対のレッグ開口部６，６を有する、ショーツ型の形態をなしている。
【００１１】
ショーツ本体１０は、前身頃２、後身頃３及び股下部４を形成する各部分が、それぞれ弾性シート２１，３１，４１から構成されており、股下部４を形成する部分の肌対向面側には、図３に示すように、吸収層７が設けられ、該吸収層７の非肌対向面側、具体的には、吸収層７と弾性シート４１との間には、液不透過性で且つ透湿性の防漏層８が設けられている。肌対向面及び非肌対向面とは、各部材において、着用者の肌側に向けられる面及びそれとは反対側に向けられる面であり、肌対向面側（又は非肌対向面側）に設けられているという表現には、肌対向面（又は非肌対向面）との間に他の部材が介在している場合も含まれる。
【００１２】
吸収層７の形成材料としては、繊維ウエブ若しくは不織布又はこれらに高吸水性ポリマーを保持させたもの等、生理用ナプキンや使い捨ておむつ等の吸収体として従来用いられている各種公知のものを用いることができるが、洗濯して数回繰り返して使用可能なショーツとする場合の耐洗濯性、乾燥性、装着感等の観点から、吸収層７は、親水性繊維を含有するシート７１からなることが好ましい。
前記吸収層７を構成するシート７１は、親水性繊維を含むシートである。親水性繊維を含むシートには、各種公知の製法による編布、織布、不織布が含まれるが、紙は含まれない。
【００１３】
好ましいシート７１は編布又は織布であり、特に好ましいシート７１は、編布である。不織布として好ましいシート７１は、構成繊維の交絡のみで不織布の形態を維持しているもので、例えばスパンレース不織布、ニードルパンチ不織布、スパンボンド不織布等である。吸収層７にこのような不織布を用いることにより、吸収容量を維持しつつショーツ１の股下部分の剛性を低下させることができ、装着時の装着感を向上させることができる。但し、吸収層を構成するシート７１として、ケミカルボンド、サーマルボンドなどの不織布を使うこともできる。
【００１４】
シート７１に含まれる親水性繊維は、吸収層７に吸液性能を付与するものであり、親水性繊維としては、ポリエチレン、ポリエステル、ポリプロピレン等の疎水性の合成繊維に活性剤等により親水化処理を施したもの等、各種公知の親水性繊維が用いられるが、使用後に洗濯して再度利用可能なショーツを得る場合における、洗濯による吸収性能の低下を防止する観点から、シート７１は、親水性繊維として、レーヨン繊維、コットン繊維、麻等のセルロース系繊維を含有することが好ましい。また、シート７１が不織布の場合、織布や編布に比較して布を構成する繊維間の強度が弱くなるので、親水性繊維は、連続フィラメント又は繊維長３０ｍｍ以上の繊維であることが耐洗濯性の点から好ましい。
【００１５】
シート７１中の親水性繊維の含有率は５０〜１００％、特に８０〜１００％であることが好ましい。
シート７１は、親水性繊維以外の繊維を含んでいても良く、親水性繊維以外の繊維としては、アクリル繊維、ポリエチレン、ポリエステル、ポリプロピレン等の疎水性合成繊維を挙げることができる。疎水性合成繊維を混在させることは、特に耐洗濯性を向上させることができるので好ましい。疎水性合成繊維を含有させる場合、親水性繊維を含有するシート７１中の該合成繊維の含有率は０〜５０％、特に０〜２０％であることが好ましい。
【００１６】
本実施形態の失禁用ショーツ１は、ウエスト開口部５及び一対のレッグ開口部６，６それぞれの周辺領域が、上述した弾性シート２１，３１，４１から形成されている。
【００１７】
そして、図２及び図４に示すように、ウエスト開口部５における弾性シート２１，３１は、その端縁２２，３２から所定幅の領域２３，３３が折り返されてその対向部位に接合されており、それにより、ウエスト開口部５の周方向Ｐの伸縮性が高められている。
また、図２及び図５に示すように、各レッグ開口部６，６それぞれにおける、弾性シート３１も、それぞれの端縁３６から所定幅の領域３７が折り返されて対向部位に接合されており、それにより、各レッグ開口部６の周方向Ｑの伸縮性が高められている。
【００１８】
本明細書において「伸縮性が高まる（又は高められている）」とは、各開口部における弾性シート３１の端縁から所定幅の領域３３，３７を折り返して接合した状態〔図４（ｂ）及び図５（ｂ）参照〕における、該開口部の周方向Ｐ，Ｑの伸縮性が、弾性シート３１を折り返さない状態〔折り返す前の状態と同じ，図４（ａ）及び図５（ａ）参照〕における、同方向Ｐ，Ｑの伸縮性よりも高くなる（高くなっている）という意味である。
【００１９】
伸縮性が高まっているか否かは、例えば、折り返す前のシート端縁から所定幅の領域を切り出し、それをその長手方向に伸張させたときの伸張応力と、折り返した後の折り返し線から所定幅（折り返す前の切り出し幅と同じ幅とする）の領域を切り出し、それを同条件で伸張させたときの伸張応力とを比較して、折り返した後の折り返し線から所定幅の領域の方が大きい場合に、「伸縮性が高まる（又は高められている）」と判断する。
【００２０】
尚、各開口部の周辺領域は、各開口部の周方向の全域にわたって弾性シートから形成され、その周方向の全域において伸縮性が高められていることが好ましいが、各開口部の周方向の全体又は一部のみが弾性シートから形成され、その周方向の一部においてのみ伸縮性が高められていても良い。
【００２１】
ウエスト開口部５における弾性シート２１，３１の折り返し幅Ｌ１（図４参照）は、ウエスト回りのフィット性を確実に向上させる観点から３〜３０ｍｍ、特に５〜２５ｍｍであることが好ましく、各レッグ開口部６，６における弾性シート３１の折り返し幅Ｌ２（図５参照）は、レッグ回りのフィット性を確実に向上させる観点から３〜１０ｍｍ、特に５〜８ｍｍであることが好ましい。
【００２２】
また、弾性シートを折り返す方向は、ショーツの非肌対向面側（外面側）よりもショーツの肌対向面側（内面側）であることが好ましい。折り返し部分が積層されて２層をなす部分と、折り返し部分が積層されないそれ以外の部分との間に厚みの段差ができることで、腹部回りの過度の収縮が抑制され、腹部回りに快適な装着感が得られる。
また、折り返した部分をその対向部位（折り返しにより対向するようになった弾性シートの他の部位）に接合する接合手段としては、弾性収縮力を制限しにくい手段が好ましく、収縮力維持、加工容易の観点から特に縫合が好ましい。接着剤による接合は、収縮力を制限し易いため好ましくない。尚、図１，４，５中の符号５１及び６１は縫合に用いた糸を示す。
【００２３】
本実施形態で用いた弾性シート２１，３１，４１は、何れもその面内に伸縮性に富む高伸縮方向と、該高伸縮方向に直交する方向で且つ該高伸縮方向よりも伸縮性に劣る低伸縮方向とを有するシートであり、より具体的には、図４に示すように、シート基材３４と、シート基材３４に固定されている複数本の弾性部材３５とからなる。弾性部材３５は、互いに平行に配されており且つそれぞれの配向方向の伸縮力が等しくなっている。弾性シート３１（２１，４１も同様）の高伸縮方向は、弾性部材３５の配向方向であり、低伸縮方向は、弾性部材３５の配向方向に直交する方向である。
【００２４】
弾性部材３５は、弾性シートそれぞれに、一方向に延びる複数本の平行な線状伸縮部（伸縮性を有する線状或いは細幅の領域）を形成している。線状伸縮部は、互いに平行に所定の間隔（例えば３〜１０ｍｍ，好ましくは等間隔）で形成されており、線状伸縮部間は、伸縮性を有しないか又は線状伸縮部よりも伸縮性に劣る低伸縮領域となっている。
【００２５】
弾性シートとして、不織繊維層が伸縮性繊維を含む編糸によってステッチ縫合されてなる伸縮性不織布を好ましく用いることができる。この場合、不織繊維層が基材シートであり、伸縮性繊維を含む網糸が弾性部材である。弾性部材は、３次元的に見てほぼ直線状に配されていなくても良く、ステッチ縫合により一方向に線状伸縮部を形成しているようなものも含む。この場合、線状伸縮部が延びる方向が弾性部材の配向方向である。
【００２６】
不織繊維層が伸縮性繊維を含む編糸によってステッチ縫合されてなる伸縮性不織布としては、例えば特開２０００−６０９００に記載の「不織繊維層が伸縮性繊維を含む編糸によってステッチ縫合されてなる不織布」を用いることができる。
【００２７】
前記不織繊維層は、構成繊維が絡合したものであり、その構成繊維としては、ポリエステル、ナイロン、ポリプロピレン、ビニロン、キュプラ、アクリル、レーヨン、綿等を用いることができる。その構成繊維は全て同種のものであっても、異種の繊維であってもよく、また、その構成繊維はフィラメント糸及び短繊維の何れであってもよい。
【００２８】
前記伸縮性繊維とは、低粘度ポリマーと高粘度ポリマーとの組合せによる複合紡糸捲縮繊維、異種ポリマーの組合せによる複合紡糸捲縮繊維、バイメタル構造による複合紡糸捲縮繊維などや、捲縮加工によるカサ高加工糸、高伸縮性を有するゴム糸（ラテックス）、ポリウレタン弾性糸等をいう。
前記編糸は、このような伸縮性繊維を含むものであり、該編糸は、伸縮性繊維を裸糸として用いてもよいし、また、他の天然繊維、合成繊維等によって被覆されていてもよい。
【００２９】
伸縮性繊維を含む編糸と他の繊維とを交編することも好ましい。交編糸としては合成繊維フィラメント糸、被覆弾性糸等を好ましく用いることができる。交編糸の不織布全体における含有率は３０％以上６５％以下の範囲が好ましい。本明細書において「％」は特に明記しない限り重量％である。
【００３０】
前記伸縮性不織布の編組織は、複数おさ、例えば、２枚おさ（２バー）又は３枚おさ（３バー）を使用して、伸縮性繊維と交編糸を編成してなるものが好ましい。具体的には、タテ方向に伸びが大きな鎖編、ヨコ方向の伸びが得られる１〜２針振り編、タテ・ヨコ両方向に伸びが得られるサテン編やアトラス編等を採用することができる。
【００３１】
前記ステッチ縫合とは、伸縮性繊維が表糸（フロントバー又はＬ１）として、一方、編糸が裏糸（バックバー又はＬ２）として、不織繊維層を狭持する状態のことをいう。ステッチ縫合には、例えば市販のラッセル経編機を用いることができる。ステッチ縫合前の不織繊維層としては、スパンレース不織布、ニードルパンチ不織布、スパンボンド不織布等を用いることができる。
【００３２】
前記伸縮性不織布は、例えば、構成繊維として単繊維デニールが０．１デニール以上３．５デニール以下の範囲にあるポリエステルフィラメント糸を用い、スパンボンド式で坪量（目付）が１５ｇ／ｍ2以上５０ｇ／ｍ2 以下の範囲にある原不織布を得、該原不織布を伸縮性繊維を含む編糸と交編糸でステッチ縫合することによって得ることができる。
【００３３】
本実施形態の失禁用ショーツ１においては、前身頃２、後身頃３及び股下部４を形成する各弾性シート２１，３１，４１は、何れもその高伸縮方向（弾性部材の配向方向）がショーツの幅方向（図２の左右方向）に一致している。
【００３４】
即ち、ウエスト開口部５の周辺領域を形成する弾性シート２１，３１は、それぞれの高伸縮方向（弾性部材の配向方向）が前身頃２及び後身頃３それぞれの幅方向に一致するように配されており且つ該ウエスト開口部５において折り返された所定幅の領域２３，３３は該前身頃２及び該後身頃３の幅方向に直交する方向に折り返されている。これにより、ウエスト開口部５の開口周縁部の周方向の伸縮性を効率的に向上させることができる。
【００３５】
また、レッグ開口部６の周辺領域を形成する弾性シート２１，３１，４１は、前身頃２及び後身頃３に位置する部分において、それぞれの高伸縮方向（弾性部材の配向方向）が前身頃２及び後身頃３それぞれの幅方向に一致するように配されており且つ該レッグ開口部６において折り返された前記所定幅の領域３７は、その高伸縮方向が前身頃２及び後身頃３それぞれの幅方向及び該幅方向に直交する方向の何れにも一致しないように折り返されている。これにより、レッグ開口部６の開口周縁部の周方向の伸縮性を効率的に向上させることができる。
【００３６】
高伸縮方向と低伸縮方向とを有する前記弾性シートの前記低伸縮方向は、伸縮性を有しない場合と伸縮性を有するがその程度が高伸縮方向よりも小さい場合の両者を含む。また、高伸縮方向は、低伸縮方向よりも伸縮性が高ければ良い。
弾性シート２１，３１，４１、特に後身頃３を形成する弾性シート３１は、ショーツの長手方向（図２の上下方向）にも伸縮性を有することが好ましい。特に、弾性シートがショーツ長手方向に伸縮すると、座位時（立位から座位への姿勢変化の際）の臀部皮膚の上下方向の伸びに弾性シートが追随し、座位時における、後身頃３側のウエスト開口部端のズレ落ちを効果的に防止することができる。
【００３７】
また、ウエスト開口部５において折り返された弾性シート２１，３１の前記所定幅の領域２３，３３は、図４（ｂ）に示すように、該領域２３，３３内の弾性部材３５ａと、該領域を重ねて接合する部位内の弾性部材３５ｂとが、前身頃２及び後身頃３それぞれの幅方向Ｐに直交する方向（図４の上下方向）に交互に配されるように折り返されている。斯かる構成により、ウエスト開口部の周方向に直交する方向の各部位における該開口部の周方向の伸縮力が均等化されるので、着用者に対する局所的な過度の締め付けを防止することができる。
【００３８】
前身頃２及び後身頃３において各レッグ開口部６の周辺領域を形成する弾性シート２１，３１は、折り返した部分における該シートの高伸縮方向（弾性部材の配向方向）と折り返した部分以外における該シートの高伸縮方向（弾性部材の配向方向）とのなす角度α〔（図５（ｂ）参照〕が、３０°以上９０°未満、特に４５°以上８０°未満であることが、動きに対して良好に追従可能な優れたフィット性が得られる観点から好ましい。
【００３９】
本実施形態の失禁用ショーツ１は、図２に示すように、サニタリーショーツを展開した状態において、吸収層７の長手方向の両端部７２，７３が、それぞれ、レッグ開口部の長手方向の両端部６２，６３の位置よりもショーツ長手方向の中央部側に位置している。吸収層７は、レッグ開口部の収縮を阻害する要因になるが、このような構成により、レッグ開口部に収縮可能な領域を確実に確保することができ、レッグ回りに優れたフィット性を得ることができる。
【００４０】
吸収層７の全長Ｌ３（図２参照）は、レッグ開口部の長手方向の両端部６２，６３間の距離Ｌ４（図２参照）に対する比（Ｌ３／Ｌ４）が０．５〜０．９、特に０．６〜０．８であることが、防漏性能とレッグ回りのフィット性を両立する観点から好ましい。また、吸収層７の全長Ｌ３は１２０〜３００ｍｍであり、吸収層７の股下部４における最小幅Ｗ（図３参照）が８０〜１１０ｍｍであることが、防漏性能と履き心地を両立させる観点から好ましい。また、吸収層７は、中央部が括れた形状、特に瓢箪形状であることが、フィット性及び履き心地の向上の観点から好ましい。
【００４１】
本実施形態における防漏層８は、股下部４を構成する弾性シート４１の肌対向面側に、液不透過性で且つ透湿性の防漏シート８１を配して形成されている。
防漏シート８１としては、使い捨ておむつ等の裏面シート等として従来用いられている各種公知の透湿性シートを用いることができ、例えば、微多孔性フィルム、ポリウレタンやポリエステルフィルムのような拡散性を利用した無孔性透湿フィルム等が挙げられる。微多孔性フィルムは、疎水性の熱可塑性樹脂と、炭酸カルシウム等からなる微小な無機フィラー又は前記熱可塑性樹脂と相溶性のない有機高分子等とを溶融混練してフィルムを形成し、該フィルムを一軸又は二軸延伸して得られる。
尚、防漏シート８１の透湿度は、ＪＩＳ  Ｚ  ０２０８に従い測定された透湿度の値が１．０ｇ／(１００ｃｍ2・ｈｒ)以上であることが好ましい。
【００４２】
本実施形態における弾性シート４１、吸収層７（シート７１）及び防漏シート８１は、平面視して同形をしており、それぞれの前後端４２，４３及び両側縁４４，４４において縫合により厚み方向に一体化されており、それぞれの前後端４２，４３は、前身頃２及び後身頃３の弾性シート２１，３１にも縫合されている。即ち、吸収層７（シート７１）は、その周縁部に形成された縫合部においてのみショーツ本体１０に接合されている。
このような構成を有するため、股間部の違和感を低減し、優れた装着感を達成できる。特に、接着剤等で吸収層７の全域或いは一部をショーツ本体に接合する場合と比べると、違和感低減効果が極めて高い。
【００４３】
本実施形態の失禁用ショーツ１は、弾性シートを折り返して接合することで、ウエスト開口部及びレッグ開口部の周方向の伸縮性を高めてあるため、弾性シートに別の伸縮部材を取り付けて各開口部に伸縮性を付与する場合に比べて、製造工程の簡略化、使用部材の削減、製造コストの低減等を図ることができる。
【００４４】
また、弾性シートとして、シート基材３４と、シート基材３４に固定されている複数本の弾性部材３５とからなる弾性シートを用いているため、弾性部材３５の収縮によりシート基材３４は細かな凹凸を形成し、着用時に着用者の肌に密着しない。これにより肌への過剰な接触によるムレ、かぶれ等のトラブルを防止できる。また、そのような弾性シートとして、特に複数本の弾性部材３５が、互いに平行に配されており且つそれぞれの配向方向の伸縮力が等しいものを用いているため、一枚の原反の任意の位置から弾性シートを切り出してショーツ１の製造に用いることができる。そのため、単位面積当たりから切り出せる弾性シートの数を大幅の増加させることができ、加工簡易性、廃棄物削減、製造コストの低減等の観点から好ましい。
【００４５】
シート基材３４としては、編物、織物、不織布又はこれらを組み合わせたもの等、使い捨ておむつやショーツ等の衣類に一般的に用いられている各種の素材を用いることができる。シート基材３４に固定される弾性部材３５としては、糸ゴム、平ゴム、弾性フィルム等、使い捨ておむつやショーツ等の衣類に用いられている各種の素材を用いることができる。シート基材３４に対する弾性部材３５の固定方法は、特に制限されるものではないが、接着剤、熱融着、超音波融着、縫合等を挙げることができ、風合い、収縮性の観点から縫合が好ましい。
尚、シート基材３４と、シート基材３４に固定されている複数本の弾性部材３５とからなる弾性シートとしては、東レ・デュポン社性の「ＭＥＸＬＡＲ」を好ましく用いることができる。
【００４６】
以上、本発明の好ましい実施形態について説明したが、本発明は、上述した実施形態に制限されない。
例えば、上記の実施形態においては、股下部４を形成する弾性シート４１の肌対向面側に別体の防漏シート８１を配して防漏層８が形成されていたが、これに代えて、弾性シート４１の肌対向面又は非肌対向面に、溶融樹脂をラミネートして防漏層８を形成することもできる。また、弾性シート２１，３１，４１は、連続する一枚のシートであっても良い。また、股下部４を形成する弾性シート４１は、その高伸縮方向をおむつの幅方向に一致させるのに代えて、長手方向に一致させるようにしても良い。
【００４７】
本発明のサニタリーショーツは、失禁用のショーツの他に、生理用のショーツであっても良く、生理用ショーツは、公知の生理用ナプキン又はライナーを内表面に固定して使用しても良いし、単独で使用しても良い。
【図面の簡単な説明】
【００４８】
【図１】本発明の一実施形態としての失禁用ショーツを示す斜視図である。
【図２】図１に示す失禁用ショーツの展開状態を非肌対向面側からみた平面図である。
【図３】図２のＸ−Ｘ線断面図である。
【図４】図４は、図２における符号Ａで示す円内を拡大して示す図で、（ａ）は弾性シートを折り返す前の状態を示し、（ｂ）は弾性シートを折り返して接合した状態を示す図である。
【図５】図５は、図２における符号Ｂで示す円内を拡大して示す図で、（ａ）は弾性シートを折り返す前の状態を示し、（ｂ）は弾性シートを折り返して接合した状態を示す図である。
【符号の説明】
【００４９】
１  失禁用ショーツ（サニタリーショーツ）
２  前身頃
２１  前身頃を形成する弾性シート
３  後身頃
３１  後身頃を形成する弾性シート
４  股下部
４１  股下部を形成する弾性シート
７  吸収層
８  防漏層
５１，６１  縫合用の糸
【図１】
2005154924.tif 000003
【図２】
2005154924.tif 000004
【図３】
2005154924.tif 000005
【図４】
2005154924.tif 000006
【図５】
2005154924.tif 000007